Podtech/llm-jp-corpus-v4-ja_patent huggingface dataset:
【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
ゲーミング・システムにおいてビデオ・ゲームを制御するコントローラーであって、
ベース・コネクターであって、該ベース・コネクターの中心を通るベース・コネクター軸を有する、ベース・コネクターと、
前記ベース・コネクターに取り付けられ、前記ベース・コネクターから延在する第１および第２のハンド・グリップであって、該第１および第２のハンド・グリップが、それぞれ該第１および第２のハンド・グリップの中心を通る第１および第２のハンド・グリップ軸を有し、前記ベース・コネクター軸と前記第１および第２のハンド・グリップ軸を含むように基準平面が、定められた、第１および第２のハンド・グリップと、
前記第１のハンド・グリップの端部に接続された第１端部であって、該第１端部が、前記基準平面に関して傾斜した角度で延在し、該第１端部が、横断面が前記第１ハンド・グリップと同じ形状を有する、第１端部と、
前記第２のハンド・グリップの端部に接続された第２端部であって、該第２端部が、前記基準平面に関して傾斜した角度で延在し、該第２端部が、横断面が前記第２ハンド・グリップと同じ形状を有する、第２端部と、
前記第１端部上における第１組の１または複数の制御手段と、
前記第２端部上における第２組の１または複数の制御手段と、
を含み、
前記コントローラーが自由起立型であり、前記コントローラーの形状が垂直位置および水平位置における前記コントローラーの把持を容易にし、前記ビデオ・ゲームへの制御の伝達のためにユーザーの親指および他の指が前記第１および第２のハンド・グリップに巻き付けられた概して垂直の位置にある間において、前記第１および第２のハンド・グリップの前記形状が中立の手位置において前記コントローラーが保たれ得るようにし、前記ビデオ・ゲームへの制御の伝達のために前記ユーザーの親指以外の他の指が前記第１および第２のハンド・グリップに巻き付けられ前記ユーザーの親指が前記第１および第２の端部にある前記第１組および第２組の１または複数の制御手段に係合した概して水平の位置にある間において、前記第１および第２のハンド・グリップの前記形状と前記第１および第２の端部が中立の手位置において前記コントローラーが保たれ得るようにした、コントローラー。
【請求項２】
請求項１記載のコントローラーにおいて、前記第１および第２端部が、前記第１および第２のハンド・グリップの前記残りの部分と、１５度および４５度の間の角度を形成している、コントローラー。
【請求項３】
請求項１記載のコントローラーにおいて、前記第１組の１または複数の制御手段が、前記コントローラーが水平面内に保たれるときに上面にある第１群の１または複数の制御手段と、前記上面の逆側となる底面にある第２群の１または複数の制御手段とを含み、前記第２組の１または複数の制御手段が、上面にある第３群の１または複数の制御手段と、前記上面の逆側となる底面にある第４群の１または複数の制御手段とを含む、コントローラー。
【請求項４】
請求項３記載のコントローラーにおいて、ユーザーの手中における前記コントローラーの回転により、前記仮想物体を方向制御し、前記第２群の１または複数の制御手段および前記第４群の１または複数の制御手段により、前記仮想物体を加速および減速させるのに使用される、コントローラー。
【請求項５】
請求項１記載のコントローラーにおいて、前記第１および第２のハンド・グリップ間において前記ベース・コネクターから延在したハブを更に含む、コントローラー。
【請求項６】
ゲーミング・システムにおけるビデオ・ゲームにおいて仮想車両を操縦制御するコントローラーであって、
ベース・コネクターであって、該ベース・コネクターの中心を通るベース・コネクター軸を有する、ベース・コネクターと、
前記ベース・コネクターに取り付けられ、前記ベース・コネクターから延在する第１および第２のハンド・グリップであって、該第１および第２のハンド・グリップが、それぞれ該第１および第２のハンド・グリップの中心を通る第１および第２のハンド・グリップ軸を有し、前記ベース・コネクター軸と前記第１および第２のハンド・グリップ軸を含むように基準平面が定められた、第１および第２のハンド・グリップと、
前記第１のハンド・グリップの端部に接続された第１端部であって、該第１端部が、前記基準平面に関して傾斜した角度で延在し、該第１端部が、横断面が前記第１ハンド・グリップと同じ形状を有し、横断面の前記同じ形状が、前記コントローラーが水平位置に保たれているときに、第１の中手骨の第２の中手骨からの離間を維持して、前腕と前記第１の中手骨との間の中立の角度と、前記前腕と前記第２の中手骨との間の中立の角度とを与える、第１端部と、
前記第２のハンド・グリップの端部に接続された第２端部であって、該第２端部が、前記基準平面に関して傾斜した角度で延在し、該第２端部が、横断面が前記第２ハンド・グリップと同じ形状を有する、第２端部と、
前記第１端部上における第１組の１または複数の制御手段と、
前記第２端部上における第２組の１または複数の制御手段と、
を含み、
前記コントローラーが、垂直位置および水平位置における前記コントローラーの把持を容易にし、前記ビデオ・ゲームへの制御の伝達のためにユーザーの親指および他の指が前記第１および第２のハンド・グリップに巻き付けられた概して垂直の位置において、前記第１および第２のハンド・グリップが前記コントローラーの保持を容易にし、前記ビデオ・ゲームへの制御の伝達のために前記ユーザーの親指以外の他の指が前記第１および第２のハンド・グリップに巻き付けられ前記ユーザーの親指が前記第１および第２の端部にある前記第１組および第２組の１または複数の制御手段に係合した概して水平の位置において、前記第１および第２のハンド・グリップと前記第１と第２の端部が前記コントローラーの保持を容易にする、コントローラー。
【請求項７】
請求項６記載のコントローラーであって、前記第１および第２のハンド・グリップは、互いに離間され、前記ベース・コネクターから互いに平行に延在する軸を有する、コントローラー。
【請求項８】
請求項６記載のコントローラーであって、前記第１組の１つまたは複数の制御手段は、前記コントローラーが水平面内において保たれたとき上面に第１群の１つまたは複数の制御手段と、前記上面と逆側となる底面に第２群の１つまたは複数の制御手段とを含む、コントローラー。
【請求項９】
請求項８記載のコントローラーであって、前記第２組の１つまたは複数の制御手段は、前記コントローラーが水平面内において保たれたとき上面に第３群の１つまたは複数の制御手段と、前記上面と逆側となる底面に第４群の１つまたは複数の制御手段とを含む、コントローラー。
【請求項１０】
請求項６記載のコントローラーにおいて、前記第１および第２のハンド・グリップが、触覚フィードバックを与えるために、前記第１および第２のハンド・グリップの内部にランブル・モーターを含み、前記ランブル・モーターが、前記ユーザーが前記コントローラーを握ったときに、該ユーザーの掌の真下に来るとともに、前記第１および第２端部から離間して配置されている、コントローラー。
【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
血液フィルタ装置であって、
外壁、第１の入口、第１の出口及び第２の出口を備えたハウジングを含み、
血漿を血液から分離することができるメンブレンを含み、前記メンブレンは、前記ハウジング内に少なくとも１つの内側チャンバを形成し、前記血液は、前記第１の入口を通って前記血液フィルタ装置の前記少なくとも１つの内側チャンバに流入し、
前記少なくとも１つの内側チャンバ内に設けられた白血球及び酸素減損媒体を含み、前記白血球及び酸素減損媒体は、前記血液から白血球及び酸素を減損させることができ、
前記外壁と前記メンブレンとの間に設けられた外側チャンバを含み、前記血漿は、前記メンブレンに浸透し、前記外側チャンバに入り、そして前記第１の出口を経て前記ハウジングから出、
酸素、白血球及び血漿の減損した前記血液は、濃縮赤血球（ｐＲＢＣ）として前記第２の出口を経て前記ハウジングから出る、血液フィルタ装置。
【請求項２】
前記減損媒体は又、ＣＯ2を前記血液から減損させることができる、請求項１記載の血液フィルタ装置。
【請求項３】
前記減損媒体は又、血小板を前記血液から減損させることができる、請求項１記載の血液フィルタ装置。
【請求項４】
前記ｐＲＢＣは、３％以下のＯ2飽和率を有する、請求項１記載の血液フィルタ。
【請求項５】
前記ｐＲＢＣは、３０ｍｍＨｇ未満のｐＣＯ2を有する、請求項２記載の血液フィルタ装置。
【請求項６】
前記ｐＲＢＣは、３５％を超える赤血球容積率を有する、請求項１記載の血液フィルタ装置。
【請求項７】
前記メンブレンの厚さは、２５〜２５０ミクロンである、請求項１記載の血液フィルタ装置。
【請求項８】
前記メンブレンは、２ミクロン未満の孔径を有する、請求項７記載の血液フィルタ装置。
【請求項９】
前記白血球及び酸素減損媒体は、酸素収着材料及び白血球減少材料を含むマクロ孔質構造体を有する、請求項１記載の血液フィルタ装置。
【請求項１０】
前記マクロ孔質構造体は、ＣＯ2収着材料を更に含み、前記酸素収着材料は、金属酸化物又は金属水酸化物である、請求項９記載の血液フィルタ装置。
【請求項１１】
前記マクロ孔質構造体は、生体適合性白血球結合表面化学組成で被覆された酸素収着材料である、請求項９記載の血液フィルタ装置。
【請求項１２】
前記マクロ孔質構造体は、１０〜３０ミクロンの平均流量孔径、表面積が少なくとも５×１０3ｃｍ2／グラムの媒体、及びこれらの組み合わせ、からなる群から選択された特徴を有する、請求項９記載の血液フィルタ装置。
【請求項１３】
前記マクロ孔質構造体は、
（ａ）生体適合性白血球結合表面化学組成で被覆された微小球であって、前記微小球は、次に、白血球減少充填剤中に混入される、微小球
（ｂ）１本又は２本以上の繊維
（ｃ）フィルタ構造体の状態に形成された１本又は２本以上の繊維
からなる群から選択された構造を有する、請求項９記載の血液フィルタ装置。
【請求項１４】
前記１本又は２本以上の繊維は、
（ａ）白血球減少繊維及び酸素収着繊維
（ｂ）組み合わせ型白血球減少及び酸素減損繊維
（ｃ）二酸化炭素収着繊維
（ｄ）生体適合性の白血球結合繊維で包囲された、酸素収着繊維
（ｅ）生体適合性の白血球結合繊維で包囲された、酸素収着繊維及び二酸化炭素収着繊維
からなる群の１つ又は２つ以上から選択された繊維である、請求項１３記載の血液フィルタ装置。
【請求項１５】
前記フィルタは、少なくとも３ｍｌ／分の流量を呈する、請求項１記載の血液フィルタ装置。
【手続補正２】
【補正対象書類名】図面
【補正対象項目名】全図
【補正方法】変更
【補正の内容】
【図１】
2014527436.tif 000001
【図２】
2014527436.tif 000002
【図３】
2014527436.tif 000003
【図４】
2014527436.tif 000004
【図５】
2014527436.tif 000005
【図６Ａ】
2014527436.tif 000006
【図６Ｂ】
2014527436.tif 000007
【図７】
2014527436.tif 000008
【図８Ａ】
2014527436.tif 000009
【図８Ｂ】
2014527436.tif 000010
【図８Ｃ】
2014527436.tif 000011
【図８Ｄ】
2014527436.tif 000012
【手続補正書】
【提出日】平成27年8月6日(2015.8.6)
【手続補正１】
【補正対象書類名】特許請求の範囲
【補正対象項目名】全文
【補正方法】変更
【補正の内容】
【特許請求の範囲】
【請求項１】
眼科のためのデータ解析の方法において、
少なくとも１つの３Ｄ  ＯＣＴデータセットを取得するステップと、
ベースラインモードにおいて動きアーチファクトを補正するステップと、
ベースラインモードにおいて、前記３Ｄ  ＯＣＴデータセットから抽出された１以上の目印フィーチャに関連する位置情報を有する基準データを生成するステップと、
セグメント化を実行して関心ボリュームを特定するステップと、
反射率、テクスチャ又はこれらの組合せを含むフィーチャ情報を抽出するステップとを有する方法。
【請求項２】
さらに、前記フィーチャ情報を正規化するステップを有する請求項１記載の方法。
【請求項３】
さらに、標準データベースを構築し、前記３Ｄ  ＯＣＴデータ内の異常を特定するステップを有する請求項２記載の方法。
【請求項４】
さらに、異なる時点における少なくとも１つのフォローアップ３Ｄ  ＯＣＴデータを取得するステップと、
前記フォローアップ３Ｄ  ＯＣＴデータの動きアーチファクトを補正するステップと、
前記フォローアップ３Ｄ  ＯＣＴデータを前記基準データに位置合わせするステップと、を有する請求項３記載の方法。
【請求項５】
さらに、異なる時点で取得された３Ｄ  ＯＣＴデータを用いて進行解析を実行するステップを有する請求項１記載の方法。
【請求項６】
前記異なる時点で取得された少なくとも１つの３Ｄ  ＯＣＴデータは、異なるイメージング方式によって取得される請求項４記載の方法。
【請求項７】
前記異なるイメージング方式は、カラー眼底撮影、視野テスト、走査型レーザ検眼鏡、蛍光眼底血管造影、インドシアニングリーン血管造影及び超音波検査からなるグループから選択される請求項６記載の方法。
【請求項８】
前記関心ボリュームは、実質的に、網膜領域、脈絡膜領域、角膜領域及びこれらの組合せからのデータを含む請求項１記載の方法。
【請求項９】
前記関心ボリュームは、少なくとも１つの空間次元からの情報を含む請求項８記載の方法。
【請求項１０】
さらに、強度レベル分布測定値、ランレングス測定値、共起マトリクス測定値、ウェーブレット解析測定値、パターンスペクトル測定値及びこれらの組合せを含む量的パラメータを算出するステップを有する請求項１記載の方法。
【請求項１１】
前記フィーチャ情報は、組織形状−サイズスペクトル、組織エントロピ測定値、組織コントラスト又はこれらの組合せを含む請求項１記載の方法。
【請求項１２】
ＯＣＴイメージャと、
前記ＯＣＴイメージャに接続され、光源からの光を受光し、サンプルからの反射光を前記ＯＣＴイメージャに供給する２次元横断スキャナと、
前記ＯＣＴイメージャから３Ｄ  ＯＣＴデータを受け取り、前記３Ｄ  ＯＣＴデータを処理する命令を実行するコンピュータとを備え、
前記命令は、
ベースラインモードにおいて動きアーチファクトを補正することと、
ベースラインモードにおいて、前記３Ｄ  ＯＣＴデータセットから抽出された１以上の目印フィーチャに関連する位置情報を有する基準データを生成することと、
セグメント化を実行して関心ボリュームを特定することと、
反射率、テクスチャ又はこれらの組合せを含むフィーチャ情報を抽出することと、を含む、光干渉断層法（opticalcoherencetomography：ＯＣＴ）システム。
【請求項１３】
前記命令は、さらに、前記フィーチャ情報を正規化することと、標準データベースを構築することと、前記３Ｄ  ＯＣＴデータ内の異常を特定することと、を含む請求項１２記載のシステム。
【請求項１４】
前記命令は、さらに、
異なる時点における少なくとも１つのフォローアップ３Ｄ  ＯＣＴデータを取得することと、
前記フォローアップ３Ｄ  ＯＣＴデータの動きアーチファクトを補正することと、
前記フォローアップ３Ｄ  ＯＣＴデータを前記基準データに位置合わせすることと、を含む請求項１３記載のシステム。
【請求項１５】
前記命令は、さらに、異なる時点で取得された３Ｄ  ＯＣＴデータを用いて進行解析を実行することを含む請求項１２記載のシステム。
【請求項１６】
前記異なる時点で取得された少なくとも１つの３Ｄ  ＯＣＴデータは、異なるイメージング方式によって取得される請求項１４記載のシステム。
【請求項１７】
前記異なるイメージング方式は、カラー眼底撮影、視野テスト、走査型レーザ検眼鏡、蛍光眼底血管造影、インドシアニングリーン血管造影及び超音波検査からなるグループから選択される請求項１６記載のシステム。
【請求項１８】
前記関心ボリュームは、実質的に、網膜領域、脈絡膜領域、角膜領域及びこれらの組合せからのデータを含み、及び少なくとも１つの空間次元からの情報を含む請求項１２記載のシステム。
【請求項１９】
前記命令は、さらに、強度レベル分布測定値、ランレングス測定値、共起マトリクス測定値、ウェーブレット解析測定値、パターンスペクトル測定値及びこれらの組合せを有する量的パラメータを算出することを含む請求項１２記載のシステム。
【請求項２０】
前記フィーチャ情報は、組織形状−サイズスペクトル、組織エントロピ測定値、組織コントラスト又はこれらの組合せを含む請求項１２記載のシステム。
【手続補正書】
【提出日】平成27年7月7日(2015.7.7)
【手続補正１】
【補正対象書類名】明細書
【補正対象項目名】００２３
【補正方法】変更
【補正の内容】
【００２３】
図１に示すように、引き戸の中間位置から右方への移動時に、左側の側部スライド４０はＹの負の方向に下向きに押される制御スライダ４００によってハウジング１０上の右内側停止位置に固定され、中間スライド３０から分離される。制御スライダ４００の制御トラック１５の曲げ領域への変位は、連結スロット３５の斜めに延びた上部３７bに支持される。他方の右側の側部スライド５０は、右側の制御スライダ５００によって中間スライド３０に連結され、図２に示すように、該制御スライダ５００は連結スロット３６内を正のＹ方向に押し上げられ、同様に右に動く。制御スライダ５００の連結スロット３６内への挿入は、該連結スロット３６の斜めに延びる底部３８aに支持される。開位置として知られる右側停止位置にて、各ガイドピンが案内路１２の曲げ領域内に挿入されるとき、キャリア２０の口は右側の側部爪２３の移動によって開かれる。
【手続補正２】
【補正対象書類名】明細書
【補正対象項目名】００２４
【補正方法】変更
【補正の内容】
【００２４】
図３Ａ及び図３Ｂに示すように、右側の側部スライド５０は、図１Ａ及び図１Ｂに示す駆動体４の中間位置から左への移動時に、鏡転する方法で、左側の停止位置に固定され、中間スライド３０から離される。然るに、中間スライド３０に連結された左側の側部スライド４０は、曲がった案内路１２によって案内される左側の側部爪２２がキャリア２０の開口を開き、同時にキャリア２０と中間スライド３０と左側の側部スライド４０が示された左端位置に固定されるまで、上向きに押される制御スライダ４００によって左に動かされる。制御スライダ５００が制御トラック１６の曲げ領域に変位することは、連結スロット３６の斜めに延びる底部３８bによって支持される。制御スライダ４００の連結スロット３５への挿入は、連結スロット３５の斜めに延びる底部３７aによって支持される。
【手続補正書】
【提出日】平成27年4月16日(2015.4.16)
【手続補正１】
【補正対象書類名】特許請求の範囲
【補正対象項目名】全文
【補正方法】変更
【補正の内容】
【特許請求の範囲】
【請求項１】
狭窄部をバイパスするためのカテーテルであって、
前記狭窄部の近位に配置されるように構成された近位部と、前記狭窄部の遠位に配置されるように構成された遠位部と、長手方向の軸線に沿って前記近位部と前記遠位部との間に延びる内腔と、を備える細長本体と、
前記内腔を画定する前記細長本体の内部表面、及び、前記内部表面を取り囲む前記細長本体の外部表面と、
前記細長本体内において前記内腔の周囲に埋め込まれた編組構造と、を備え、
前記細長本体の前記近位部及び前記編組構造は、係合特徴部上を前進させるために前記内腔が拡大されるように、軸力に反応して拡張するように構成される、カテーテル。
【請求項２】
前記細長本体の前記遠位部は、前記狭窄部の遠位の血管セグメント内において自由に浮遊するように構成される、請求項１に記載のカテーテル。
【請求項３】
前記カテーテルに流体的に結合するためのコネクタをさらに備え、
前記コネクタは、第１の外周を画定する外部表面、及び、内腔を画定する内部表面を備えるコネクタ本体を備え、前記係合特徴部は、前記コネクタ本体の前記外部表面上に配置され、前記第１の外周よりも大きな第２の外周を画定する、請求項１に記載のカテーテル。
【請求項４】
前記コネクタ及び前記カテーテルは前記狭窄部の近位に結合されるように構成される、請求項３に記載のカテーテル。
【請求項５】
前記係合特徴部は少なくとも１つのバーブを備える、請求項３に記載のカテーテル。
【請求項６】
前記細長本体の前記近位部及び前記編組構造は、前記細長本体の前記近位部及び前記編組構造が前記係合特徴部上に置かれると、前記係合特徴部に圧縮力を加えるように構成される、請求項１に記載のカテーテル。
【請求項７】
前記細長本体は可撓性を有する、請求項１に記載のカテーテル。
【請求項８】
前記細長本体の前記外部表面は前記編組構造を完全に取り囲む、請求項１に記載のカテーテル。
【請求項９】
前記細長本体の前記近位部は、前記カテーテルを前記係合特徴部上において前進させる前に前記カテーテルのサイズを原位置で調整可能とするために、切断されるように構成されたサイジング領域を備える、請求項１に記載のカテーテル。
【請求項１０】
狭窄部をバイパスするためのシステムであって、
カテーテルと、
前記カテーテルに流体的に結合するためのコネクタと、を備え、
前記カテーテルは、
近位部と、遠位部と、長手方向の軸線に沿って前記近位部と前記遠位部との間に延びる内腔と、を備える細長本体であって、前記近位部が前記狭窄部の近位に配置され、かつ前記遠位部が前記狭窄部の遠位に配置されるように前記遠位部が前記狭窄部を通って挿入されるように構成される、細長本体と、
前記内腔を画定する前記細長本体の内部表面、及び、前記内部表面を取り囲む前記細長本体の外部表面と、
前記細長本体内において前記内腔の周囲に埋め込まれた編組構造と、を備え、
前記コネクタは、
第１の外周を画定する外部表面、及び、内腔を画定する内部表面を備えるコネクタ本体と、
前記コネクタ本体の前記外部表面上に配置され、前記第１の外周よりも大きな第２の外周を画定する係合特徴部であって、前記細長本体の前記近位部及び前記編組構造が前記係合特徴部上を前進するように構成される、係合特徴部と、を備える、システム。
【請求項１１】
前記細長本体の前記近位部及び前記編組構造は、前記係合特徴部上を前進させるために前記内腔が拡大されるように、軸力に反応して拡張するように構成される、請求項１０に記載のシステム。
【請求項１２】
前記細長本体の前記近位部及び前記編組構造は、前記細長本体の前記近位部及び前記編組構造が前記係合特徴部上に置かれると、前記係合特徴部に圧縮力を加えるように構成される、請求項１１に記載のシステム。
【請求項１３】
前記コネクタ及び前記カテーテルは前記狭窄部の近位に結合されるように構成される、請求項１０に記載のシステム。
【請求項１４】
前記係合特徴部は少なくとも１つのバーブを備える、請求項１０に記載のシステム。
【請求項１５】
前記細長本体の前記遠位部は、前記狭窄部の遠位の血管セグメント内において自由に浮遊するように構成される、請求項１０に記載のシステム。
【請求項１６】
前記細長本体は可撓性を有する、請求項１０に記載のシステム。
【請求項１７】
前記細長本体の前記外部表面は前記編組構造を完全に取り囲む、請求項１０に記載のシステム。
【請求項１８】
前記細長本体の前記近位部は、前記カテーテルを前記係合特徴部上において前進させる前に前記カテーテルのサイズを原位置で調整可能とするために、切断されるように構成されたサイジング領域を備える、請求項１０に記載のシステム。
【請求項１９】
狭窄部をバイパスする方法であって、
細長本体の近位部が前記狭窄部の近位に配置され、かつ、前記細長本体の遠位部が前記狭窄部の遠位の血管セグメント内で自由に浮遊するように構成されるように、前記狭窄部を通して前記細長本体を挿入するステップであって、前記細長本体は、内腔を画定する内部表面を備え、前記細長本体内部の前記内腔の周囲には編組構造が埋め込まれている、ステップと、
前記細長本体の前記近位部及び前記編組構造に軸力を加えることで、コネクタに関連付けられた係合特徴部上を前進させるために前記内腔を拡張させるステップと、
前記細長本体の前記近位部の拡大された前記内腔と、前記編組構造とを、前記係合特徴部上において前進させるステップと、
前記細長本体の前記近位部及び前記編組構造が前記係合特徴部上に置かれると、前記係合特徴部に圧縮力を加えるステップと、を含む、方法。
【請求項２０】
狭窄部をバイパスし、血管アクセスを設ける方法であって、
グラフト及びコネクタを含む遠位血液導管及び近位血液導管を提供するステップであって、前記コネクタが、当該コネクタ上に配置された保持特徴部を有し、前記遠位血液導管が、当該遠位血液導管内に埋め込まれた編組構造を備えたカテーテルを含む、ステップと、
前記遠位血液導管の遠位領域を、血管系内に挿入して前記血管系内の狭窄部を通過させるステップと、
前記編組構造の少なくとも一部が前記保持特徴部の近位に配置されるまで前記カテーテルを前記コネクタの遠位セグメント上において前進させるステップと、を含む、方法。
【手続補正書】
【提出日】平成27年5月27日(2015.5.27)
【手続補正１】
【補正対象書類名】特許請求の範囲
【補正対象項目名】全文
【補正方法】変更
【補正の内容】
【特許請求の範囲】
【請求項１】
上側周縁まで延伸する上側周壁及び下側周縁まで延伸する下側周壁をそれぞれ有する一対のレンズ部分によって定められる外面を有するゴーグルであって、
前記周縁は、使用時に装着者の顔に接触し、
前記上側周壁によって定められる前記外面は凸状であるゴーグル。
【請求項２】
前記下側周壁によって定められる前記外面は凸状である請求項１に記載のゴーグル。
【請求項３】
前記各周壁によって定められる前記外面は、前記各レンズ部分によって定められる前記外面との滑らかな遷移部を形成する請求項１又は２に記載のゴーグル。
【請求項４】
前記上側周縁は、使用時に眼窩外で装着者の額に接触する請求項１から３のいずれか一つに記載のゴーグル。
【請求項５】
前記上側周壁は、使用時に装着者の額との滑らかな遷移部を形成する請求項４に記載のゴーグル。
【請求項６】
前記下側周縁は、使用時に装着者の頬骨に接触する請求項１から５のいずれか一つに記載のゴーグル。
【請求項７】
前記下側周壁は、使用時に装着者の頬との滑らかな遷移部を形成する請求項６に記載のゴーグル。
【請求項８】
前記外面は滑らかな曲面である請求項１から７のいずれか一つに記載のゴーグル。
【請求項９】
前記外面は滑らかな連続的な曲面である請求項８に記載のゴーグル。
【請求項１０】
前記ゴーグルは、使用時に装着者の眼窩を満たし、装着者の頭部を流線形にする請求項１から９のいずれか一つに記載のゴーグル。
【請求項１１】
前記上側周縁と前記下側周縁との間の最大距離は５５ｍｍより大きい請求項１から１０のいずれか一つに記載のゴーグル。
【請求項１２】
各レンズ部分は、使用時に装着者の顔に対して気密を形成する各内周縁まで延伸する内周壁を更に含む請求項１から１１のいずれか一つに記載のゴーグル。
【請求項１３】
上側周壁及び下側周壁をそれぞれ有する一対のレンズ部分によって定められる外面を有するゴーグルであって、
各レンズ部分は、使用時に装着者の顔に対する気密を形成する各内周縁まで延伸する内周壁を更に含み、
前記上側周壁によって定められる前記外面は凸状であるゴーグル。
【請求項１４】
前記下側周壁によって定められる前記外面は凸状である請求項１３に記載のゴーグル。
【請求項１５】
前記各周壁によって定められる前記外面は、前記各レンズ部分によって定められる前記外面との滑らかな遷移部を形成する請求項１３又は１４に記載のゴーグル。
【請求項１６】
前記外面は滑らかな曲面である請求項１３から１５のいずれか一つに記載のゴーグル。
【請求項１７】
前記外面は滑らかな連続的な曲面である請求項１６に記載のゴーグル。
【請求項１８】
前記ゴーグルは、使用時に装着者の眼窩を満たし、装着者の頭部を流線形にする請求項１３から１７のいずれか一つに記載のゴーグル。
【請求項１９】
使用時に、装着者の鼻孔は覆われないままである請求項１から１８のいずれか一つに記載のゴーグル。
【手続補正書】
【提出日】平成27年6月22日(2015.6.22)
【手続補正１】
【補正対象書類名】特許請求の範囲
【補正対象項目名】全文
【補正方法】変更
【補正の内容】
【特許請求の範囲】
【請求項１】
ユーザに対しガスの流れを通じさせるシステムにおいて使用するユーザインターフェースであって、
第１部分を備えるユーザ接触アセンブリを有し、
前記第１部分が、
（ａ）支持材料と、
（ｂ）前記支持材料と分離不能に組み合わされると共に該支持材料により支持される水分取込手段を備えた接触構造体であって、当該ユーザインターフェースがユーザにより装着された場合に前記水分取込手段は該ユーザの皮膚表面に少なくとも部分的に接触し、前記支持材料は前記水分取込手段に対して機械的及び動的安定性を付与し、前記水分取込手段が、前記ユーザ接触アセンブリが上に配置されるユーザの皮膚表面からの水分の取込又は拡散を可能にし、前記水分取込手段は親水性材料又は親水性及び疎水性材料を有し、前記親水性材料が、飽和に達するのに十分な５日以上の時間にわたる室温での脱塩水への浸漬の後に、少なくとも５重量％の水、好ましくは１０重量％を越える水、特に好ましくは１２０、２００、２５０又は５００重量％までの水を取り込むゴム状材料である接触構造体と、
を有するユーザインターフェース。
【請求項２】
第２支持部分を更に有し、該支持部分に前記第１部分が動作的に結合される請求項１に記載のユーザインターフェース。
【請求項３】
前記第２支持部分に配設されたガス連通ポートを更に有する請求項２に記載のユーザインターフェース。
【請求項４】
ユーザの皮膚に対してガス交換用密閉接触を行うための密閉部を更に有する請求項１ないし３の何れか一項に記載のユーザインターフェース。
【請求項５】
前記支持材料が、好ましくはゴム状材料である、疎水性材料又は親水性材料を有する請求項１ないし４の何れか一項に記載のユーザインターフェース。
【請求項６】
前記ゴム状材料が、シリコーン、ラテックス及びポリブタジェンの何れかである請求項５に記載のユーザインターフェース。
【請求項７】
前記親水性材料が、親水性シリコーン、ポリビニルピロリドン（20,000〜400,000の数平均分子量の）、ポリ（ヒドロキシエチル・メタクリレート）、ポリエチレングリコール（200〜10,000の数平均分子量の）、ポリビニルアルコール（10,000〜150,000の数平均分子量の）、ポリアクリルアミド、アルカリ金属ポリ（メタ）アクリレート（これらに限定されるものではないが、ナトリウム・ポリアクリレート、カリウム・ポリアクリレート、ナトリウム・ポリメタクリレート、カリウム・ポリメタクリレート）及びこれらの混合物の何れかである請求項１ないし６の何れか一項に記載のユーザインターフェース。
【請求項８】
前記親水性材料が親水性シリコーン材料であり、前記疎水性材料が疎水性シリコーン材料である請求項１ないし７の何れか一項に記載のユーザインターフェース。
【請求項９】
前記支持材料が基体層を形成する疎水性材料であり、
前記親水性材料が前記基体層上に配置された第１層を形成する親水性シリコーンであり、
前記第１層は、当該ユーザインターフェースがユーザにより装着される場合に、該ユーザの皮膚に向かって配置される、
請求項１ないし８の何れか一項に記載のユーザインターフェース。
【請求項１０】
前記親水性材料が前記支持材料中に混合され、該支持材料が複合混合物を形成するための疎水性材料である請求項１ないし８の何れか一項に記載のユーザインターフェース。
【請求項１１】
前記複合混合物の外側に疎水性材料の層が形成され、
該層は穿孔されて開口を形成し、
これら開口が前記親水性材料を人の皮膚と接触させるためのものである、
請求項１０に記載のユーザインターフェース。
【請求項１２】
前記支持材料は疎水性材料であり、この疎水性材料が、人の皮膚と接触するために該疎水性材料の界面に配置された複数の孔を含み、
前記孔は前記親水性材料により充填され、
該親水性材料が人の皮膚と接触するためのものである、
請求項１ないし８の何れか一項に記載のユーザインターフェース。
【請求項１３】
当該ユーザインターフェースが、（ｉ）額パッド及び／若しくは鼻／口クッション又は（ｉｉ）リムを備えたシェルを有し、前記ユーザ接触アセンブリが該リムに密閉的に取り付けられる、請求項１ないし１２の何れか一項に記載のユーザインターフェース。
【請求項１４】
前記親水性材料への水分の取込があった場合に、前記支持材料が前記親水性材料より堅い請求項１ないし１３の何れか一項に記載のユーザインターフェース。
【請求項１５】
当該ユーザインターフェースがＯＳＡ又はＣＳＡの治療のための患者インターフェースである請求項１ないし１４の何れか一項に記載のユーザインターフェース。
【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
気管内チューブまたは気管カニューレ換気チューブ60、人工呼吸器マシン900、加圧液体源602、吸引源603で使用するバルーン洗浄装置であって、
a. 実質的に気密になるように換気チューブ60を人工呼吸器900に接続するためのチューブ接続アセンブリ158；
b. 換気チューブ60内において本体210の外側に格子間領域を形成するように、チューブ接続アセンブリ158を通じて換気チューブ60内に挿入可能な細長く、柔軟な本体210；
c.本体の端より半分の位置で本体210に装着され、換気チューブ60の内側表面201と接触膨張可能なバルーン588；
d. 細長い本体内にまたはそれに沿って配置され、バルーン588の近位にある格子間領域の近位部774に、換気チューブ60の外側の加圧液体源より受け取った加圧液体を転送するように動作し、転送された液体は、本体210に位置するか機械的に結合された液体送出オリフィス525経由で近位部774に入る、一つかそれ以上の液体送出ルーメン520；
e. 本体210内またはそれに沿って配置され、バルーン588が膨脹して接触した時に吸引源603からの負圧の大部分が吸引オリフィス440経由で格子間領域の近位部774 に伝わるように動作する、吸引ルーメン530；
f. 吸入源と吸引ルーメンの接続を媒介するため、吸入源603に接続可能な吸入オリフィス830；及び、
g. 汚染抑制のために、チューブ接続アセンブリ158に対して近位であり吸引オリフィス830に対して遠位である位置における、少なくとも本体210一部の周囲に設けられたスリーブ610、を備え、
吸引オリフィス440は、近位部774に向けて開かれ、本体210と機械的に結合し、
液体送出オリフィス525の少なくとも1つは、境界形成バルーン588における穴であるゆえ、境界形成バルーン588は漏出性であり、
境界形成バルーン588に加圧液体が影響を及ぼすことでバルーン膨張動作と流体吐出操作の両方が実行可能となる、洗浄装置。
【請求項２】
膨張可能なバルーンは、流体吐出ルーメン520を介して加圧流体源によって膨張され動作可能となる、請求項1の洗浄装置。
【請求項３】
複数の流体吐出オリフィス525を備え、流体吐出オリフィス525は、
i.  細長い本体210の第一側面に配備された、第一流体吐出オリフィス525A；及び、
ii.  最大75度、45度または25度の許容範囲内で本体中心軸202の反対側にある、細長い本体210の第二側面に実質的に配備された、第二流体吐出オリフィス 525B、を備える請求項1又は2の装置
【請求項４】
境界形成バルーン588の表面は、表面積として少なくとも90％が実質的に不透過性である、請求項3の装置。
【請求項５】
少なくとも一つの流体吐出オリフィス440は、本体210の末端部208から最低1cmおよび/または本体210の長さに対して最低10%の比率で近位の距離に位置する、請求項1から4のいずれかの装置。
【請求項６】
少なくとも一つの流体吐出オリフィス440は、本体210の末端部208から最低3cmおよび/または本体210の長さに対して最低20%の比率で近位の距離に位置する、請求項1から5のいずれかの装置。
【請求項７】
膨脹可能なバルーン588は膨脹性であるゆえ、換気チューブ内面201の最低25％の角度位置は膨脹可能なバルーンが接触する、請求項1から6のいずれかの装置。
【請求項８】
膨脹可能なバルーン588は膨脹性であるゆえ、換気チューブ内面201の最低50%の角度位置は膨脹可能なバルーンが接触する、請求項1から7のいずれかの装置。
【請求項９】
膨張可能なバルーン588は膨張性であるゆえ、遠位778からバルーン588にかけて格子間領域の近位部774を密封する、請求項1から8のいずれかの装置。
【請求項１０】
バルーン588は、本体210の四分の一遠位の位置に設置されている、請求項1から9のいずれかの装置。
【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
インビトロでB型肝炎ウイルス遺伝子の発現を少なくとも80％阻害することができる二本鎖リボ核酸分子であって、二本鎖リボ核酸分子が、SEQ ID NO:2、3、または6のヌクレオチド1〜19を順番通りに含むセンス鎖およびセンス鎖に少なくとも部分的に相補的であるアンチセンス鎖を含み、かつ30ヌクレオチド長未満である、二本鎖リボ核酸分子。
【請求項２】
アンチセンス鎖が、SEQ ID NO:158、159、160、または163のヌクレオチド1〜19を順番通りに含む、請求項1記載の二本鎖リボ核酸分子。
【請求項３】
二本鎖リボ核酸分子が、SEQ ID NO: 2/158、3/159、3/160、および6/163からなる群より選択される配列対を含む、請求項2記載の二本鎖リボ核酸分子。
【請求項４】
アンチセンス鎖が1〜5ヌクレオチド長の3'突出部をさらに含む、請求項1記載の二本鎖リボ核酸分子。
【請求項５】
アンチセンス鎖の前記突出部が、ウラシル、またはB型肝炎ウイルスの複製もしくは病原性のために必要なタンパク質をコードするプレゲノムRNAおよび／もしくはmRNAに相補的なヌクレオチドを含む、請求項4記載の二本鎖リボ核酸分子。
【請求項６】
センス鎖が1〜5ヌクレオチド長の3'突出部をさらに含む、請求項1記載の二本鎖リボ核酸分子。
【請求項７】
センス鎖の前記突出部が、ウラシル、またはB型肝炎ウイルスの複製もしくは病原性のために必要なタンパク質をコードするプレゲノムRNAおよび／もしくはmRNAと同一のヌクレオチドを含む、請求項6記載の二本鎖リボ核酸分子。
【請求項８】
2'-O-メチル修飾ヌクレオチド、5'-ホスホロチオエート基を含むヌクレオチド、コレステリル誘導体と連結された末端ヌクレオチド、ドデカン酸ビスデシルアミド基と連結された末端ヌクレオチド、2'-デオキシ-2'-フルオロ修飾ヌクレオチド、2'-デオキシ修飾ヌクレオチド、ロックドヌクレオチド、脱塩基ヌクレオチド、デオキシチミジン、逆向き（inverted）デオキシチミジン、2'-アミノ修飾ヌクレオチド、2'-アルキル修飾ヌクレオチド、モルホリノヌクレオチド、ホスホルアミデート、および非天然塩基を含むヌクレオチドからなる群より選択される修飾ヌクレオチドを少なくとも1つ含む、請求項1記載の二本鎖リボ核酸分子。
【請求項９】
2'-O-メチル修飾ヌクレオチド、5'-ホスホロチオエート基を含むヌクレオチド、およびデオキシチミジンを含有している、請求項8記載の二本鎖リボ核酸分子。
【請求項１０】
センス鎖またはアンチセンス鎖がデオキシチミジン1〜2個の突出部を含む、請求項9記載の二本鎖リボ核酸分子。
【請求項１１】
SEQ ID NO: 322/486、323/487、324/488、325/489、327/491、および328/492からなる群より選択される配列対を含む、請求項1記載の二本鎖リボ核酸分子。
【請求項１２】
センス鎖またはアンチセンス鎖をコードする核酸配列を含む、請求項1記載の二本鎖リボ核酸分子。
【請求項１３】
（a）請求項1〜12のいずれか一項において定義される少なくとも1種の二本鎖リボ核酸分子；
（b）請求項1〜12のいずれか一項において定義される二本鎖リボ核酸分子を構成するセンス鎖もしくはアンチセンス鎖をコードする少なくとも1種の核酸配列；または
（c）請求項1〜12のいずれか一項において定義される少なくとも1種の二本鎖リボ核酸分子を含む細胞、組織、もしくは非ヒト生物
を含む薬学的組成物。
【請求項１４】
（a）各々が請求項1〜12のいずれか一項において定義される第一および第二の二本鎖リボ核酸分子；
（b）各々が請求項1〜12のいずれか一項において定義される第一および第二の二本鎖リボ核酸分子を構成するセンス鎖もしくはアンチセンス鎖をコードする少なくとも1種の核酸配列；または
（c）各々が請求項1〜12のいずれか一項において定義される第一および第二の二本鎖リボ核酸分子を含む細胞、組織、もしくは非ヒト生物
を含む薬学的組成物。
【請求項１５】
(a)第一の二本鎖リボ核酸分子がSEQ ID NO:2のヌクレオチド1〜19を順番通りに含むセンス鎖を含み、かつ第二の二本鎖リボ核酸分子がSEQ ID NO:3、4もしくは6のヌクレオチド1〜19を順番通りに含むセンス鎖を含む、または
(b)第一の二本鎖リボ核酸分子がSEQ ID NO:6のヌクレオチド1〜19を順番通りに含むセンス鎖を含み、かつ第二の二本鎖リボ核酸分子がSEQ ID NO:2、3もしくは7のヌクレオチド1〜19を順番通りに含むセンス鎖を含む、または
(c)第一の二本鎖リボ核酸分子がSEQ ID NO:3のヌクレオチド1〜19を順番通りに含むセンス鎖を含み、かつ第二の二本鎖リボ核酸分子がSEQ ID NO:2、4、6もしくは7のヌクレオチド1〜19を順番通りに含むセンス鎖を含む、
請求項14記載の薬学的組成物。
【請求項１６】
薬学的に許容される担体、安定剤、および／または希釈剤をさらに含む、請求項13〜15のいずれか一項記載の薬学的組成物。
【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
間葉幹細胞（ＭＳＣ）、または、造血幹細胞（ＨＳＣ）、前駆細胞および間葉幹細胞（ＭＳＣ）を含んでなる細胞集団を含んでなる、網膜変性疾患の処置用医薬組成物であって、前記細胞のＷｎｔ／β−カテニンシグナル伝達経路が活性化されており、前記細胞が処置を必要とする被験者の目へ直接的に移植される、医薬組成物。
【請求項２】
前記細胞がＷｎｔ／β−カテニンシグナル伝達経路アクチベーター、もしくはＷｎｔ／β−カテニンシグナル伝達経路レプレッサー阻害剤で処理された細胞であり、かつ／またはＷｎｔ／β−カテニンシグナル伝達経路アクチベーターを過剰発現する細胞である、請求項１に記載の医薬組成物。
【請求項３】
前記Ｗｎｔ／β−カテニン経路アクチベーターがＷｎｔアイソフォーム、β−カテニン、Ｒ−スポンジン、２−（４−アセチルフェニルアゾ）−２−（３，３−ジメチル−３，４−ジヒドロ−２Ｈ−イソキノリン−１−イリデン）−アセトアミド（ＩＱ１）、（２Ｓ）−２−［２−（インダン−５−イルオキシ）−９−（１，１’−ビフェニル−４−イル）メチル）−９Ｈ−プリン−６−イルアミノ］−３−フェニル−プロパン−１−オール（ＱＳ１１）、デオキシコール酸（ＤＣＡ）、２−アミノ−４−［３，４−（メチレンジオキシ）ベンジルアミノ］−６−（３−メトキシフェニル）ピリミジン、表１に示される式（Ｉ）、（ＩＩ）、（ＩＩＩ）または（ＩＶ）の（ヘテロ）アリールピリミジン、およびそれらの組合せからなる群から選択される、請求項２に記載の医薬組成物。
【請求項４】
前記Ｗｎｔ／β−カテニン経路レプレッサー阻害剤がＧＳＫ−３阻害剤、ＳＦＲＰ１阻害剤、およびそれらの組合せからなる群から選択される、請求項２に記載の医薬組成物。
【請求項５】
前記網膜変性疾患が色素性網膜炎、加齢性黄斑変性、シュタルガルト病、錐体桿体ジストロフィー、先天性停止性夜盲症、レーバー先天性黒内障、ベスト卵黄様黄斑ジストロフィー、前部虚血性視神経症、コロイデレミア、加齢性黄斑変性、中心窩黄斑ジストロフィー、ビエッティ結晶性角膜網膜ジストロフィー、アッシャー症候群、および原発病態に由来する網膜変性症状からなる群から選択される、請求項１〜４のいずれか一項に記載の医薬組成物。
【請求項６】
前記網膜変性が白内障、糖尿病または緑内障に由来する、請求項５に記載の医薬組成物。
【請求項７】
間葉幹細胞（ＭＳＣ）、または、造血幹細胞（ＨＳＣ）、前駆細胞および間葉幹細胞（ＭＳＣ）を含んでなる細胞集団を含んでなる、網膜変性疾患の処置用医薬組成物であって、リプログラミングがＷｎｔ／β−カテニンシグナル伝達経路により媒介され、前記細胞を網膜細胞と融合することにより前記網膜細胞をリプログラミングする前に、前記細胞を処置を必要とする被験者の目へ直接的に移植する、処置医薬組成物。
【請求項８】
Ｗｎｔ／β−カテニンシグナル伝達経路アクチベーター、またはＷｎｔ／β−カテニンシグナル伝達経路レプレッサー阻害剤と組み合わせて使用するための、請求項７に記載の医薬組成物。
【請求項９】
前記Ｗｎｔ／β−カテニン経路アクチベーターがＷｎｔアイソフォーム、β−カテニン、Ｒ−スポンジン、ＩＱ１、ＱＳ１１、ＤＣＡ、２−アミノ−４−［３，４−（メチレンジオキシ）ベンジルアミノ］−６−（３−メトキシフェニル）ピリミジン、表１に示される式（Ｉ）、（ＩＩ）、（ＩＩＩ）または（ＩＶ）の（ヘテロ）アリールピリミジン、およびそれらの組合せからなる群から選択される、請求項８に記載の医薬組成物。
【請求項１０】
前記Ｗｎｔ／β−カテニン経路レプレッサー阻害剤がＧＳＫ−３阻害剤、ＳＦＲＰ１阻害剤、およびそれらの組合せからなる群から選択される、請求項８に記載の医薬組成物。
【請求項１１】
前記網膜変性疾患が色素性網膜炎、加齢性黄斑変性、シュタルガルト病、錐体桿体ジストロフィー、先天性停止性夜盲症、レーバー先天性黒内障、ベスト卵黄様黄斑ジストロフィー、前部虚血性視神経症、コロイデレミア、加齢性黄斑変性、中心窩黄斑ジストロフィー、ビエッティ結晶性角膜網膜ジストロフィー、アッシャー症候群、および原発病態に由来する網膜変性症状からなる群から選択される、請求項７〜１０のいずれか一項に記載の医薬組成物。
【請求項１２】
前記網膜変性が白内障、糖尿病または緑内障に由来する、請求項１１に記載の医薬組成物。
【請求項１３】
細胞組成物であって、前記細胞組成物の少なくとも５０％の細胞が間葉幹細胞（ＭＳＣ）、または造血幹細胞（ＨＳＣ）、前駆細胞および間葉幹細胞（ＭＳＣ）から選択され、かつ、前記細胞のＷｎｔ／β−カテニンシグナル伝達経路が活性化されている、細胞組成物。
【請求項１４】
１）間葉幹細胞（ＭＳＣ）または造血幹細胞（ＨＳＣ）、前駆細胞および間葉幹細胞（ＭＳＣ）、ならびに薬学上許容される担体を少なくとも含んでなる医薬組成物であって、前記細胞のＷｎｔ／β−カテニンシグナル伝達経路が活性化されている医薬組成物、ならびに、
２）Ｗｎｔ／β−カテニンシグナル伝達経路アクチベーターまたはＷｎｔ／β−カテニンシグナル伝達経路レプレッサー阻害剤と組み合わせた、間葉幹細胞（ＭＳＣ）または造血幹細胞（ＨＳＣ）、前駆細胞および間葉幹細胞（ＭＳＣ）、ならびに薬学上許容される担体を少なくとも含んでなる医薬組成物、
からなる群から選択される、医薬組成物。
【請求項１５】
処置を必要とする被験者の目への前記組成物の直接的な移植による、網膜変性疾患の処置用の、請求項１４に記載の医薬組成物。
【請求項１６】
前記組成物を眼球内、硝子体内または網膜下注射により投与する、請求項１５に記載の医薬組成物。
【請求項１７】
１）間葉幹細胞（ＭＳＣ）または造血幹細胞（ＨＳＣ）、前駆細胞および間葉幹細胞（ＭＳＣ）、ならびにキットの構成要素の使用に関する説明書を含んでなるキットであって、前記細胞のＷｎｔ／β−カテニンシグナル伝達経路が活性化されているキット、ならびに
２）Ｗｎｔ／β−カテニンシグナル伝達経路アクチベーターまたはＷｎｔ／β−カテニンシグナル伝達経路レプレッサー阻害剤と組み合わせた、間葉幹細胞（ＭＳＣ）または造血幹細胞（ＨＳＣ）、前駆細胞および間葉幹細胞（ＭＳＣ）、ならびにキットの構成要素の使用に関する説明書とを含んでなるキット
からなる群から選択されるキット。
【請求項１８】
網膜変性疾患の処置用の、請求項１７に記載のキット。
【請求項１９】
請求項１８に記載の網膜変性疾患処置用のキットであって、前記網膜変性疾患が色素性網膜炎、加齢性黄斑変性、シュタルガルト病、錐体桿体ジストロフィー、先天性停止性夜盲症、レーバー先天性黒内障、ベスト卵黄様黄斑ジストロフィー、前部虚血性視神経症、コロイデレミア、加齢性黄斑変性、中心窩黄斑ジストロフィー、ビエッティ結晶性角膜網膜ジストロフィー、アッシャー症候群、および原発病態に由来する網膜変性症状からなる群から選択される、キット。
【請求項２０】
請求項１８に記載の網膜変性疾患の処置用のキットであって、前記網膜変性が白内障、糖尿病または緑内障に由来する、キット。
【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
押出しプロセスのために、原料として生体再吸収性ポリマー樹脂を押出機へ提供するステップと、
前記押出しプロセスにおいて、前記押出機内へ供給する前の前記ポリマー樹脂原料に、乾燥ガスを通して、前記ポリマー樹脂原料から水分を除去するステップであって、前記乾燥ガスが、前記ポリマー樹脂原料を通る前に実質的に含水量を有していないステップと、
前記押出しプロセスにおいて、前記押出機へ前記ポリマー樹脂原料を供給する際に、前記押出機内へ供給する前に前記ポリマー樹脂原料の含水量を、５０ｐｐｍの下限を上回り、１０００ｐｐｍの上限を下回って維持するステップであって、
前記含水量が、前記押出機中で前記ポリマー樹脂の溶融物の可塑化を可能にし、その粘度を減少させ、前記ポリマー樹脂の溶融物におけるモノマー生成及び分子量損失を減少させる前記下限を上回って維持され、
前記含水量が、前記ポリマー樹脂の溶融物における加水分解による分子量損失を減少させる前記上限を下回って維持される、ステップと、
前記乾燥ガスの温度、前記乾燥ガスの流量、又は両方を調節して、前記ポリマー樹脂の含水量を、前記下限を上回り、前記上限を下回って維持するステップと、
を備える方法。
【請求項２】
前記乾燥ガスが−４０℃未満の露点を有する、請求項１に記載の方法。
【請求項３】
前記押出しプロセスの開始より前に前記乾燥ガスを前記ポリマー樹脂に通すステップをさらに含み、前記ポリマー樹脂の含水量が、前記押出しプロセスの開始より前に１００ｐｐｍと１０００ｐｐｍの間へ減少される、請求項１に記載の方法。
【請求項４】
前記ポリマー樹脂原料の含水量を測定し、測定された前記ポリマー樹脂の含水量に基づいて、前記乾燥ガスの温度、又は前記乾燥ガスの流量、又は両方を調節するステップをさらに備える、請求項１に記載の方法。
【請求項５】
前記ポリマー樹脂原料が密封容器内にあり、前記密封容器は周囲の水分の前記容器内への漏れを減少させる又は最小限にする、請求項１に記載の方法。
【請求項６】
前記乾燥ガスの温度が、当初は４０〜７０℃であり、前記ポリマー樹脂原料の含水量が５０ｐｐｍと１００ｐｐｍの間へ減少された後に２５〜３０℃に調節される、請求項１に記載の方法。
【請求項７】
前記生体再吸収性ポリマーが、ポリ（Ｌ−ラクチド）（ＰＬＬＡ）、ポリ（Ｄ−ラクチド）（ＰＤＬＡ）、ポリグリコリド（ＰＧＡ）、ポリ（Ｌ−ラクチド−ｃｏ−Ｄ，Ｌ−ラクチド）（ＰＬＤＬＡ）、ポリ（Ｄ，Ｌ−ラクチド）（ＰＤＬＬＡ）、ポリ（Ｄ，Ｌ−ラクチド−ｃｏ−グリコリド）（ＰＬＧＡ）、及びポリ（Ｌ−ラクチド−ｃｏ−グリコリド）（ＰＬＬＧＡ）からなる群から選択される、請求項１に記載の方法。
【手続補正書】
【提出日】平成27年7月7日(2015.7.7)
【手続補正１】
【補正対象書類名】特許請求の範囲
【補正対象項目名】全文
【補正方法】変更
【補正の内容】
【特許請求の範囲】
【請求項１】
複合材料をレイアップするためのマンドレルツールであって、
前記複合材料のレイアップ面を提供する複合材の表面板と、
前記表面板を支持するためのセル型ヘッダーボード構造体と
を備えるツール。
【請求項２】
前記表面板が、母材に埋め込まれる強化用繊維を含む、請求項１に記載のツール。
【請求項３】
前記セル型ヘッダーボード構造体のセルに充填される膨張可能な泡状材料をさらに備える請求項１又は２に記載のツール。
【請求項４】
前記泡状材料は、レイアップ及び硬化条件下において寸法安定性を維持する、請求項３に記載のツール。
【請求項５】
前記セル型ヘッダーボード構造体のセルは空である、請求項１乃至４のいずれか１項に記載のツール。
【請求項６】
前記レイアップ面は、複雑な輪郭を描く表面である、請求項１乃至５のいずれか１項に記載のツール。
【請求項７】
レイアップマンドレルツールを製作する方法であって、
ヘッダーボードからセル型構造体を作り出すことと、
前記セル型構造体を泡状材料で充填することと、
機械加工された表面を得るために前記泡状材料及び前記セル型構造体を機械加工することと、
表面板を形成するために、前記機械加工された表面上に複合材料をレイアップして硬化させることと
を備える方法。
【請求項８】
前記表面板の露出している表面を機械加工することをさらに備える請求項７に記載の方法。
【請求項９】
機械加工された前記表面板の表面を洗浄することと、シールすることと、剥離塗装することと
をさらに備える請求項８に記載の方法。
【請求項１０】
前記表面板を硬化させた後に前記泡状材料を除去することをさらに備える請求項７乃至９のいずれか１項に記載の方法。
【請求項１１】
前記ヘッダーボードが、エポキシ樹脂から作られており、試作品に適切な厚さ及び剛性を有する、請求項７乃至１０のいずれか１項に記載の方法。
【請求項１２】
前記ヘッダーボードが、ビスマレイミドから作られており、マスター及び回数の多い生産工程に適切な厚さ及び剛性を有する、請求項７乃至１１のいずれか１項に記載の方法。
【請求項１３】
前記ヘッダーボードの材料、剛性、及び厚さが、望ましい耐久性に依拠して選択される、請求項７乃至１２のいずれか１項に記載の方法。
【請求項１４】
前記表面板が、複雑な輪郭を描く表面を有する修理部品のレイアップ面を提供する、請求項７乃至１３のいずれか１項に記載の方法。